(57)【要約】      （修正有）【課題】構造が簡便且つコンパクトで、電子血圧計、モニター、コーヒーメーカー等に適用可能な小型空気ポンプを提供する。【解決手段】ケース１と電機構造２とカム３とサポート台４とエアチューブユニット５と圧片６とワンウェイエアスクープバルブ９と頂点蓋８とワンウェイエアベントバルブ７とを含み、サポート台４の頂点面には、エアガイド溝４１を形成し、エアチューブユニット５の辺縁は、サポート台４のエアガイド溝４１に対応し、小孔５１とワンウェイエアスクープバルブ９を形成し、圧片６上には、エアベント孔６２を形成し、ワンウェイエアスクープバルブ９の位置にはエアスクープ孔６１を形成し、圧片６底面には、空気挿入溝を形成し、頂点蓋８はエアスクープ空間とエアベント空間を形成すると共に、エアベント空間と連通する空気充填管８３を形成し、エアスクープ空間８１は空気ポンプのエア供給孔４２に連通することを特徴とする。【選択図】図１
0003148988.tif 000002
【実用新案登録請求の範囲】
【請求項１】
ケースと、電機構造と、カムと、サポート台と、エアチューブユニットと、圧片と、ワンウェイエアスクープバルブと、頂点蓋と、ワンウェイエアベントバルブとにより構成された小型空気ポンプであって、
前記電機構造は、ケース中に設置され、
前記カムは前記電機構造の伝動軸上に設置され、
前記サポート台は前記ケース上に設置され、前記サポート台の頂点面には、エアガイド溝が形成され、
前記エアチューブユニットは、圧片によりサポート台上に固定され、サポートされ、前記エアチューブユニットの底部は前記カム上に固定され、前記電機構造と前記カムにより連動され、交替に空気充填動作を行い、前記エアチューブユニットの辺縁は前記サポート台のエアガイド溝に対応し、小孔とワンウェイエアスクープバルブを形成し、
前記圧片上の、エアチューブユニット中のエアチューブに対応する位置には、エアベント孔が形成され、前記エアチューブユニット辺縁のワンウェイエアスクープバルブの位置に対応し、エアスクープ孔が形成され、前記圧片の底面には、エアチューブユニットの小孔とエアチューブに対応し、空気挿入溝が形成され、
前記ワンウェイエアスクープバルブとワンウェイエアベントバルブは、それぞれ圧片のエアスクープ孔とエアベント孔上を覆い、
前記頂点蓋は圧片上を覆い、かつ前記圧片のエアスクープ孔とエアベント孔に対応し、エアスクープ空間とエアベント空間を形成し、しかも頂点蓋上にはさらに前記エアベント空間と連通する空気充填管が形成され、前記エアスクープ空間は前記小型空気ポンプのエア供給孔に連通する一方、
気体は、前記エア供給孔から頂点蓋のエアスクープ空間に進入し、順番に圧片のエアスクープ孔、ワンウェイエアスクープバルブ、サポート台のエアガイド溝、エアチューブユニットの小孔、圧片の空気挿入溝を経て、エアチューブ中に進入し、さらに順番に圧片のエアベント孔、ワンウェイエアベントバルブを経て、頂点蓋のエアベント空間に進入し、空気充填管により空気を送出し充填することを特徴とする、小型空気ポンプ。
【考案の詳細な説明】
【技術分野】
【０００１】
本考案は空気ポンプに係り、特に小型空気ポンプに関する。
【背景技術】
【０００２】
従来の空気ポンプには、様々な形態があり、空気ポンプに関連する特許も非常に多い。それら空気ポンプは、使用場所の違いにより、得られる効果も異なり、それぞれ違った構造を備える。
本考案は、電子血圧計、モニター、コーヒーメーカー等に適用する小型空気ポンプを開発するものである。
【考案の開示】
【考案が解決しようとする課題】
【０００３】
そこで、本考案が解決しようとする主な課題は、コンパクトで、構造が簡便で、電子血圧計、モニター、コーヒーメーカー等に適用可能な小型空気ポンプを提供することにある。
【課題を解決するための手段】
【０００４】
上記課題を解決するため、本考案は下記の小型空気ポンプを提供する。即ち、小型空気ポンプは、ケース、電機構造、カム、サポート台、エアチューブユニット(光沢或いはつや消し処理)、圧片、ワンウェイエアスクープバルブ、頂点蓋、ワンウェイエアベントバルブにより構成し、該電機構造は、ケース中に設置し、該カムは該電機構造の伝動軸上に設置し、該サポート台は該ケース上に設置し、サポート台の頂点面には、エアガイド溝を形成する。該エアチューブユニットは、該圧片によりサポート台上に固定され、サポートされ、該エアチューブユニットの底部は該カム上に固定し、該電機構造と該カムにより連動し、交替に空気充填動作を行い、該エアチューブユニットの辺縁は該サポート台のエアガイド溝に対応し、小孔とワンウェイエアスクープバルブを形成する。該圧片上のエアチューブユニット中のエアチューブに対応する位置に、エアベント孔を形成し、該エアチューブユニット辺縁のワンウェイエアスクープバルブの位置に対応し、エアスクープ孔を形成し、圧片の底面には、エアチューブユニットの小孔とエアチューブに対応し、空気挿入溝を形成し、該ワンウェイエアスクープバルブと該ワンウェイエアベントバルブは、それぞれ圧片のエアスクープ孔とエアベント孔上を覆い、該頂点蓋は圧片上を覆い、該頂点蓋は圧片のエアスクープ孔とエアベント孔に対応し、エアスクープ空間とエアベント空間を形成し、しかも該頂点蓋上にはさらにエアベント空間と連通する空気充填管を形成し、エアスクープ空間は空気ポンプのエア供給孔に連通し、気体は、エア供給孔から頂点蓋のエアスクープ空間に進入し、順番に圧片のエアスクープ孔、ワンウェイエアスクープバルブ、サポート台のエアガイド溝、エアチューブユニットの小孔、圧片の空気挿入溝を経て、エアチューブ中に進入し、さらに、順番に圧片のエアベント孔、ワンウェイエアベントバルブを経て、頂点蓋のエアベント空間に進入し、空気充填管により空気を送出し充填する。
【考案の効果】
【０００５】
本考案は、わずか６個の構成部材によって組成し、各構成部材上に孔、溝等を開設することで、気体を導引し、各構成部材間を流動させ、エアチューブユニットの動作を経て、空気の注入と排出動作を完成させ、空気の充填を実現する。したがって、本考案は構造が簡便で、しかもコンパクトであるため、電子血圧計、モニター、コーヒーメーカー等に適用することができるという効果を奏する。
【考案を実施するための最良の形態】
【０００６】
以下に図面を参照しながら本考案を実施するための最良の形態について詳細に説明する。
【０００７】
図１、図２、図４、図５に示すように、本考案は二通りの最適実施形態を示す。小型空気ポンプは、ケース1、電機構造2、カム3、サポート台4、エアチューブユニット5(光沢或いはつや消し処理)、圧片6、ワンウェイエアスクープバルブ9、頂点蓋8、ワンウェイエアベントバルブ7により構成する。
【０００８】
電機構造2は、ケース1中に設置する。カム3は、電機構造2の伝動軸（図示せず）上に設置する。サポート台4は、ケース1上に設置し、サポート台4の頂点面には、エアガイド溝41を形成する。サポート台4上には、貫通したエア供給孔42を形成する。
【０００９】
エアチューブユニット5は、図７に示すように、少なくとも２個のエアチューブ52を備え、この実施形態では、３個のエアチューブ52を備える。エアチューブユニット5は、圧片6によりサポート台4上に固定され、サポートされる。エアチューブユニット5の底部は、カム3により伝動されるクランク31上に固定され、電機構造2とカム3により連動し、交替に空気充填動作を行う。エアチューブユニット5の辺縁には、サポート台4のエア供給孔42に連通する通気孔53を形成する。エアチューブユニット5の辺縁は、エアガイド溝41に対応し、小孔51とワンウェイエアスクープバルブ9を形成する。
【００１０】
ワンウェイエアスクープバルブ9の最適実施形態は、人の頭形状（半月型を含む）で、エアチューブユニット5の辺縁には、円孔91を形成し、人の頭形状のワンウェイエアスクープバルブ9は対応する円孔91中に連接する。
【００１１】
圧片6上のエアチューブユニット5中エアチューブ52に対応する位置に、エアベント孔62を形成する。図８に示すように、エアチューブユニット5辺縁のワンウェイエアスクープバルブ9の位置に対応し、エアスクープ孔61を形成し、圧片6の底面には、エアチューブユニット5の小孔51とエアチューブ52に対応し、空気挿入溝63を形成する。圧片6の辺縁には、頂点蓋8のエアスクープ空間81に連通する通気孔65を形成する。
【００１２】
ワンウェイエアスクープバルブ9とワンウェイエアベントバルブ7はそれぞれエアスクープ孔61とエアベント孔62上に被さる。ワンウェイエアベントバルブ7の最適実施形態は、傘型で、圧片6のエアベント孔62は各固定孔64の周囲に分布し、傘型のワンウェイエアベントバルブ7の傘の柄71部分は、固定孔64中に挿入され、傘面72は、エアベント孔62上を覆う。
【００１３】
頂点蓋8は、粘着或いは溶接により圧片6上を覆い固定される。図３或いは図６に合わせて示すように、頂点蓋8は圧片6のエアスクープ孔61とエアベント孔62に対応し、エアスクープ空間81とエアベント空間82を形成する。しかも頂点蓋8上にはさらに、エアベント空間82と連通する空気充填管83を形成し、エアスクープ空間81は通気孔65、53を通して、空気ポンプのエア供給孔42に連通し、気体はエア供給孔42より通気孔53、通気孔65を経由し、上方に向かい頂点蓋8のエアスクープ空間81中に進入する。本考案は、エア供給孔42を頂点蓋8上に直接開設することもでき、これによって気体はエア供給孔より、頂点蓋8のエアスクープ空間81中に直接進入する(図示せず)。
【００１４】
図１、図２に示す第一実施形態では、エアベント空間82は、空気充填管83と相互に通じる。使用時、図３に合わせて示すように、気体はエア供給孔42より通気孔53、通気孔65を経由し、上方に向かい頂点蓋8のエアスクープ空間81中に進入する。次に、気体は、圧片6のエアスクープ孔61を経て、ワンウェイエアスクープバルブ9を押し開き、下降させる。気体は、サポート台4のエアガイド溝41を経て方向転換し、エアチューブユニット5の小孔51と圧片6の空気挿入溝63を経て、エアチューブ52中に進入し充填し、エアチューブユニット5に交替に空気を充填する。
【００１５】
さらに、気体は圧片6のエアベント孔62を経て、ワンウェイエアベントバルブ7を押し開き、頂点蓋8のエアベント空間82中に進入し、エアベント空間82中に集められた後、空気充填管83により空気充填物品中に充填され、空気の充填を実現する。本第一実施形態では、空気充填時に、気体はエアベント空間82から空気充填管83へと直接進入するため、気流の流速が比較的速いため、いくらか音を発する。
【００１６】
図４、図５に示す第二実施形態では、頂点蓋8の構造を改善する。図６に示すように、頂点蓋8のエアベント空間82を、ワンウェイエアベントバルブ7に対応した個数（少なくとも２個、本実施形態では３個）の小空間に分ける。各小空間と空気充填管83の間は、凹溝84を通して連通する。凹溝84は、接線方向に沿って小空間の両辺において形成する形態が最適である。しかも、本実施形態中では、凹溝84は接線方向に沿って小空間の両辺において対称に形成し、隣接する２個の凹溝84は、合流し、一緒に空気充填管83と連通する形態が最適である。さらに騒音を低下させるため、本実施形態では、空気充填管83と凹溝84の連接位置の直径を拡大し、緩衝空間85を形成する。
【００１７】
本第二実施形態の使用時には、気体はエア供給孔42より通気孔53、通気孔65を経由し、上方に向かい頂点蓋8のエアスクープ空間81中に進入する。次に、順番に圧片6のエアスクープ孔61とワンウェイエアスクープバルブ9を経由し、下降し、サポート台4のエアガイド溝41を経て方向転換し、エアチューブユニット5の小孔51と圧片6の空気挿入溝63を経てエアチューブ52中に進入し充填し、エアチューブユニット5に交替で空気を充填する。さらに、気体は、順番に圧片6のエアベント孔62、ワンウェイエアベントバルブ7を経由し、頂点蓋8エアベント空間82の３個の小空間中に進入し、凹溝84を経て緩衝空間85に入る。最後に、空気充填管83により空気充填物品中に充填され、空気の充填を実現する。
【００１８】
本実施形態は、第一実施形態と比較し、騒音をより抑えることができる。すなわち、頂点蓋8のエアベント空間82を３個の小空間に分け、独立した小空間中に、大部分の空気充填による騒音を集め、さらに凹溝84と緩衝空間85を通して、空気充填管83に連通し、接線方向に対称に形成する凹溝84を経て、Ｕターン後、緩衝空間85を経て、さらに騒音を低下させることができる。
【図面の簡単な説明】
【００１９】
【図１】本考案に係る小型空気ポンプにおける、第一実施形態の俯瞰立体分解図
【図２】本考案に係る小型空気ポンプにおける、第一実施形態の仰視立体分解図
【図３】本考案に係る小型空気ポンプにおける、第一実施形態の頂点蓋構造の仰視図
【図４】本考案に係る小型空気ポンプにおける、第二実施形態の俯瞰立体分解図
【図５】本考案に係る小型空気ポンプにおける、第二実施形態の仰視立体分解図
【図６】本考案に係る小型空気ポンプにおける、第二実施形態の頂点蓋構造の仰視図
【図７】本考案に係る小型空気ポンプにおける、エアチューブユニット構造の俯瞰図
【図８】本考案に係る小型空気ポンプにおける、圧片構造の仰視図
【符号の説明】
【００２０】
1   ケース
2   電機構造
3   カム
31  クランク
4   サポート台
41  エアガイド溝
42  エア供給孔
5   エアチューブユニット
51  小孔
52  エアチューブ
53  通気孔
6   圧片
61  エアスクープ孔
62  エアベント孔
63  空気挿入溝
64  固定孔
65  通気孔
7   ワンウェイエアベントバルブ
71  傘の柄
72  傘面
8   頂点蓋
81  エアスクープ空間
82  エアベント空間
83  空気充填管
84  凹溝
9   ワンウェイエアスクープバルブ
91  円孔
【図１】
0003148988.tif 000003
【図２】
0003148988.tif 000004
【図３】
0003148988.tif 000005
【図４】
0003148988.tif 000006
【図５】
0003148988.tif 000007
【図６】
0003148988.tif 000008
【図７】
0003148988.tif 000009
【図８】
0003148988.tif 000010